(57)【要約】【課題】筆記体の交換時以外で開口部が不用意に開口することがなく、また、開口部を迅速且つ容易に開閉させることができ、しかも、蓋部が紛失することがない多芯筆記具を提供する。【解決手段】軸筒２の後端に、各々の窓孔２２を後方に開口させる開閉自在の開口部２３を設け、開口部２３を介して筆記体３及び操作体４を連結状態で軸筒２内から取り外し可能且つ軸筒２内に挿入可能に構成する。軸筒２の後端部に、前記開口部２３を開閉自在とする蓋部６を設ける。蓋部６が、軸方向に貫設され且つ径方向外方に開口する挿通溝６３を備える。蓋部６が、軸筒２の軸心を中心に回転可能に取り付けられる。挿通孔と窓孔２２とを連通させることによって開口部２３を開口させ、一方、挿通孔と窓孔２２とを非連通状態にさせることによって開口部２３を閉鎖する。【選択図】  図２
2010094906.tif 000002
【特許請求の範囲】
【請求項１】
軸筒内に複数の筆記体を前後方向に移動可能に収容し、前記各々の筆記体を弾発体により後方に付勢し、前記各々の筆記体の後端に操作体を取り付け、前記軸筒の側壁に軸方向に延びる複数の窓孔を径方向に貫設し、前記各々の窓孔から径方向外方に前記各々の操作体を突出させ、一つの操作体を窓孔に沿って前方にスライドさせることにより、その一つの操作体が取り付けられた筆記体のペン先を軸筒の前端孔から突出させるとともに、先に突出状態にあった他の筆記体のペン先を軸筒内に没入させてなり、前記軸筒の後端に、前記各々の窓孔を後方に開口させる開閉自在の開口部を設け、前記開口部を介して筆記体及び操作体を連結状態で軸筒内から取り外し可能且つ軸筒内に挿入可能に構成し、前記軸筒の後端部に、前記開口部を開閉自在とする蓋部を設けた多芯筆記具であって、
前記蓋部が、軸方向に貫設され且つ径方向外方に開口する挿通溝を備え、前記蓋部が、前記軸筒の軸心を中心に回転可能に取り付けられ、前記挿通孔と前記窓孔とを連通させることによって前記開口部を開口させ、一方、前記挿通孔と前記窓孔とを非連通状態にさせることによって前記開口部を閉鎖してなることを特徴とする多芯筆記具。
【請求項２】
前記蓋部の前面に筒状部を形成し、前記筒状部の内面に環状の係合部を形成し、一方、前記軸筒の後端部外周面に環状の被係合部を形成し、前記蓋部の係合部と前記軸筒の被係合部とを回転可能に抜け止め係合してなる請求項１記載の多芯筆記具。
【請求項３】
前記蓋部の外周面に滑り止め部を設けた請求項１または２記載の多芯筆記具。
【発明の詳細な説明】
【技術分野】
【０００１】
本発明は、多芯筆記具に関する。詳細には、軸筒の側壁の窓孔から突出する操作体を前方にスライドさせることにより、軸筒内部に収容した筆記体のペン先を軸筒の前端孔から出没させる多芯筆記具に関する。
【背景技術】
【０００２】
特許文献１には、軸筒の後端に、窓孔を後方に開口させる開閉自在の開口部を設け、前記開口部を介して筆記体及び操作体を、軸筒内から取り外し可能且つ軸筒内に挿入可能に構成し、軸筒の後端部に、前記開口部を開閉自在とする蓋部を設けた多芯筆記具が開示されている。また、前記特許文献１には、前記蓋部を、ヒンジ部により略前後方向に回動自在に設け、前記蓋部の前面に係合部を設け、軸筒の後端に前記蓋部の係合部に係合可能な被係合部を設けた構成が開示されている。
【０００３】
特許文献２には、軸筒の後端に、窓孔を後方に開口させる開閉自在の開口部を設け、前記開口部を介して筆記体及び操作体を、軸筒内から取り外し可能且つ軸筒内に挿入可能に構成し、軸筒の後端部に、前記開口部を開閉自在とする蓋部を設け、前記蓋部に二個の係合部を設け、軸筒の後端部に、前記係合部と係合可能な二個の被係合部とを設けた多芯筆記具が開示されている。また、前記特許文献２には、蓋部を周方向に回転操作することにより、蓋部の係合部と軸筒の被係合部との係合及び係合解除を行うことが開示されている。
【０００４】
特許文献３には、軸筒の後端に、窓孔を後方に開口させる開閉自在の開口部を設け、前記開口部を介して筆記体及び操作体を、軸筒内から取り外し可能且つ軸筒内に挿入可能に構成し、軸筒の後端部に、前記開口部を開閉自在とする蓋部を着脱自在に螺着した多芯筆記具が開示されている。
【０００５】
【特許文献１】特開２００７−３８６３５号公報
【特許文献２】特開２００７−１５２７５号公報
【特許文献３】特開２００７−１５２７４号公報
【発明の開示】
【発明が解決しようとする課題】
【０００６】
前記特許文献１の多芯筆記具は、繰り返しの係合及び係合解除（即ち開口部の繰り返しの開閉）によって、係合部と被係合部との係合が緩くなるおそれがあり、その場合、ペン先没入状態の筆記体の操作体が蓋部に当接するだけで、係合部と被係合部との係合が簡単に解除されるとともに蓋部が後方に回動し、筆記体の交換時以外で開口部が不用意に開口するおそれがある。
【０００７】
前記特許文献２の多芯筆記具は、軸筒の後端の開口部を開口させた際、蓋部が軸筒から分離されるため、蓋部を紛失させ易い。また、前記特許文献２の多芯筆記具は、蓋部と軸筒とが二箇所の係合部及び被係合部において係合されるため、蓋部と軸筒との係合操作が容易ではない。
【０００８】
前記特許文献３の多芯筆記具は、蓋部の着脱（即ち開口部の開閉）を迅速に行うことができない。また、前記特許文献３の多芯筆記具は、前記特許文献２の多芯筆記具と同様、軸筒の後端の開口部を開口させた際、蓋部が軸筒から分離されるため、蓋部を紛失させ易い。
【０００９】
本発明は、前記従来の問題点を解決するものであって、筆記体の交換時以外で開口部が不用意に開口することがなく、また、開口部を迅速且つ容易に開閉させることができ、しかも、蓋部が紛失することがない多芯筆記具を提供しようとするものである。尚、本発明において、「前」とはペン先側を指し、「後」とはその反対側を指す。
【課題を解決するための手段】
【００１０】
[１]本願の第１の発明は、軸筒２内に複数の筆記体３を前後方向に移動可能に収容し、前記各々の筆記体３を弾発体５により後方に付勢し、前記各々の筆記体３の後端に操作体４を取り付け、前記軸筒２の側壁に軸方向に延びる複数の窓孔２２を径方向に貫設し、前記各々の窓孔２２から径方向外方に前記各々の操作体４を突出させ、一つの操作体４を窓孔２２に沿って前方にスライドさせることにより、その一つの操作体４が取り付けられた筆記体３のペン先３１を軸筒２の前端孔２１から突出させるとともに、先に突出状態にあった他の筆記体３のペン先３１を軸筒２内に没入させてなり、前記軸筒２の後端に、前記各々の窓孔２２を後方に開口させる開閉自在の開口部２３を設け、前記開口部２３を介して筆記体３及び操作体４を連結状態で軸筒２内から取り外し可能且つ軸筒２内に挿入可能に構成し、前記軸筒２の後端部に、前記開口部２３を開閉自在とする蓋部６を設けた多芯筆記具であって、前記蓋部６が、軸方向に貫設され且つ径方向外方に開口する挿通溝６３を備え、前記蓋部６が、前記軸筒２の軸心を中心に回転可能に取り付けられ、前記挿通孔と前記窓孔２２とを連通させることによって前記開口部２３を開口させ、一方、前記挿通孔と前記窓孔２２とを非連通状態にさせることによって前記開口部２３を閉鎖してなることを要件とする。
【００１１】
前記第１の発明の多芯筆記具１は、蓋部６が前後方向に開閉作動する構造ではなく、蓋部６が周方向に開閉作動する構造であるため、繰り返しの開口部２３の開閉を行っても、筆記体３の交換時以外で開口部２３が不用意に開口することがない。また、前記第１の発明の多芯筆記具１は、軸筒２の軸心を中心とする蓋部６の僅かの回転操作（即ち１回転以内の回転操作）によって、開口部２３を開閉できるため、開口部２３の開閉を迅速且つ容易に行うことができる。また、前記第１の発明の多芯筆記具１は、開口部２３を開口させた状態でも蓋部６が分離されないため、蓋部６が紛失することがない。
【００１２】
［２］本願の第２の発明は、前記第１の発明の多芯筆記具１において、前記蓋部６の前面に筒状部６２を形成し、前記筒状部６２の内面に環状の係合部６４を形成し、一方、前記軸筒２の後端部外周面に環状の被係合部２４を形成し、前記蓋部６の係合部６４と前記軸筒２の被係合部２４とを回転可能に抜け止め係合してなることを要件とする。
【００１３】
前記第２の発明の多芯筆記具１は、それにより、蓋部６が軸筒２の後端部に回転可能に抜け止め係合されるとともに、前記蓋部６が軸筒２の軸心を中心として回転可能に固定される。尚、前記環状の係合部６４、前記環状の被係合部２４は、例えば、環状突起、環状溝等が挙げられる。
【００１４】
[３]本願の第３の発明は、前記第１または第２の多芯筆記具１において、前記蓋部６の外周面に滑り止め部６６を設けたことを要件とする。
【００１５】
前記第３の発明の多芯筆記具１は、蓋部６の外周面に滑り止め部６６を設けたことにより、蓋部６の外周面を指で摘んで回転操作する際、蓋部６と指との滑り止めがなされ、蓋部６を容易に回転操作することができる。尚、前記滑り止め部６６は、例えば、突起や凹凸等が挙げられる。
【発明の効果】
【００１６】
本発明の多芯筆記具は、筆記体の交換時以外で開口部が不用意に開口することがなく、また、開口部の開閉を迅速且つ容易に行うことができ、しかも、蓋部が紛失することがない。
【発明を実施するための最良の形態】
【００１７】
図１乃至図４に本発明の実施の形態を示す。
本実施の形態の多芯筆記具１は、軸筒２内に複数本（ここでは２本）の筆記体３が収容され、前記各々の筆記体３のペン先３１が軸筒２の前端の前端孔２１より選択的（択一的）に出没される。前記各々の筆記体３の後端部には、操作体４が取り付けられる。前記各々の筆記体３は、弾発体５（コイルスプリング）により後方に常時付勢されている。前記筆記体３は、例えば、ボールペン、マーキングペン、シャープペンシル等が挙げられる。
【００１８】
前記軸筒２は、円筒状の前軸２ａと、該前軸２ａに着脱自在に螺合される円筒状の後軸２ｂとからなる。前記前軸２ａ及び後軸２ｂは、合成樹脂または金属材料からなる。
【００１９】
前記前軸２ａの前端部は、先細状に形成され、前記前軸２ａの前端に前端孔２１が軸方向に貫設される。前記前軸２ａの後端部外周面には、雄ねじ部が形成される。
【００２０】
前記後軸２ｂの前端部内周面には、雌ネジ部が形成される。前記雌ネジ部に、前記前軸２ａの雄ねじ部が螺合される。前記後軸２ｂの後端部外面には、クリップ２５が設けられる。
【００２１】
前記後軸２ｂの後端部側壁には軸方向に延びる複数の窓孔２２が形成される。前記各々の窓孔２２から各々の筆記体３の操作部４１が外部に突出される。前記各々の操作部４１を窓孔２２に沿って前方にスライド操作することによって、各々の筆記体３のペン先３１が選択的に前端孔２１より前方に突出される。前記後軸２ｂの窓孔２２相互間の側壁内面には、係止壁部（図示せず）が一体に形成される。前記係止壁部に、ペン先突出状態の筆記体３の後端に取り付けられた操作体４の後端が係止される。
【００２２】
前記後軸２ｂの後端には、窓孔２２を後方に切り欠き状に開口する開口部２３が形成される。また、前記後軸２ｂの後端には、前記開口部２３を開閉自在にする蓋部が取り付けられる。前記開口部２３を介して、操作体４を備えた筆記体３を軸筒２内に挿入且つ軸筒２内から取り外し可能（交換可能）である。
【００２３】
前記蓋部６は円板状の本体６１と、該本体６１の前面に一体に形成される筒状部６２とからなる。前記蓋部６の本体６１には、径方向外方に開口し且つ軸方向に貫設される切り欠き状の挿通溝６３が１箇所のみに形成される。これにより、交換を要する筆記体３及び操作体４のみを開口部２３を通して交換することができ、交換不要の筆記体３及び操作体４を誤って取り出すことがない。尚、前記挿通溝６３は、蓋体の複数箇所（例えば軸筒２内への筆記体３の収容本数と同じ数の箇所）に設けることもできる。
【００２４】
前記蓋部６の筒状部６２の内面には環状の係合部６４（具体的には環状突起）が一体に形成される。前記後軸２ｂの後端部外周面には環状の被係合部２４（具体的には環状溝）が形成される。前記蓋部６の環状突起と前記後軸２ｂの環状溝が回転可能に抜け止め係合され、それにより、蓋部６が軸筒２の後端部（後軸２ｂの後端部）の外周面に回転可能に抜け止め係合されるとともに、前記蓋部６が軸筒２の軸心を中心として回転可能に固定される。
【００２５】
前記蓋部６の前面（蓋部６の筒状部６２の前端）は、ペン先没入状態の筆記体３に取り付けられた操作体４の後端が当接可能な当接壁部６５となる。
【００２６】
前記蓋部６の外周面には、滑り止め部６６（例えば凹凸）が形成される。
【００２７】
図３に、本実施の形態の開口部２３を閉鎖した状態を示す。
蓋部６を軸筒２に対して回転させ、蓋部６の挿通孔と全ての窓孔２２とを非連通状態にさせ、それによって全ての開口部２３が閉鎖される。
【００２８】
図４に、本実施の形態の開口部２３を開口した状態を示す。
蓋部６を軸筒２に対して回転させ、蓋部６の挿通溝６３と一つの窓孔２２（即ち交換を要する筆記体３の後端の操作体４が突出する窓孔２２）とを連通させ、それによって、一つの開口部２３が開口される。前記開口状態の開口部２３を介して筆記体３及び操作体４を連結状態で軸筒２内から取り外し可能且つ軸筒２内に挿入可能となる。
【００２９】
また、本発明において、蓋部６の回転を一定角度ごとに一時的に停止できる係止部（例えば複数の係止突起や係止孔）を、蓋部６と軸筒２の後端部との間に形成することもできる。
【図面の簡単な説明】
【００３０】
【図１】本発明の実施の形態の開口部の閉鎖状態を示す縦断面図である。
【図２】図１の多芯筆記具の開口部の開口状態を側面図である。
【図３】図１の多芯筆記具の開口部の閉鎖状態を示す平面図である。
【図４】図１の多芯筆記具の開口部の開口状態を示す平面図である。
【符号の説明】
【００３１】
１  多芯筆記具
２  軸筒
２ａ  前軸
２ｂ  後軸
２１  前端孔
２２  窓孔
２３  開口部
２４  被係合部
２５  クリップ
３  筆記体
３１  ペン先
４  操作体
４１  操作部
５  弾発体
６  蓋部
６１  本体
６２  筒状部
６３  挿通溝
６４  係合部
６５  当接壁部
６６  滑り止め部
【図１】
2010094906.tif 000003
【図２】
2010094906.tif 000004
【図３】
2010094906.tif 000005
【図４】
2010094906.tif 000006